(57)【要約】      （修正有）【課題】撮像装置の姿勢を変えることなく撮像装置の姿勢別に異なる撮影関連情報を確認可能とした撮像装置及び制御方法を提供する。【解決手段】カメラは、情報を表示する背面表示部１０、カメラの姿勢別に異なるＡＦフレーム情報を記憶するメモリ３７、カメラ各部を制御するシステム制御回路３９、カメラの姿勢を検知する姿勢検知回路４０を備える。システム制御回路３９は、姿勢検知回路４０により検知したカメラの横位置に対応したメモリ３７に記憶されているＡＦフレーム情報と、縦グリップ上、縦グリップ下に各々対応したメモリ３７に記憶されているＡＦフレーム情報を背面表示部１０に同時に表示する。【選択図】図１
2011099962.tif 000002
【特許請求の範囲】
【請求項１】
情報を表示する表示手段を有する撮像装置であって、
前記撮像装置を構えたときの前記撮像装置の姿勢を検知する検知手段と、
前記撮像装置の姿勢別に異なる撮影関連情報を記憶する記憶手段と、
前記検知手段により検知した前記撮像装置の姿勢に対応した前記記憶手段に記憶されている撮影関連情報と、前記検知手段により検知した前記撮像装置の姿勢とは別の姿勢に対応した前記記憶手段に記憶されている撮影関連情報を前記表示手段に同時に表示する制御手段と、
を備えることを特徴とする撮像装置。
【請求項２】
前記制御手段は、前記検知手段により検知した前記撮像装置の姿勢とは別の姿勢に対応した前記記憶手段に記憶されている撮影関連情報よりも、前記検知手段により検知した前記撮像装置の姿勢に対応した前記記憶手段に記憶されている撮影関連情報を前記表示手段に強調して表示することを特徴とする請求項１記載の撮像装置。
【請求項３】
前記検知手段により検知した前記撮像装置の姿勢に応じて、前記記憶手段に記憶されている撮影関連情報の前記表示手段に対する表示形態を変更することを特徴とする請求項１記載の撮像装置。
【請求項４】
前記表示手段の表示を切り替えるための操作部材を備え、
前記制御手段は、前記撮像装置の少なくとも１つの姿勢に対応した前記記憶手段に記憶されている撮影関連情報を前記表示手段に表示し、前記操作部材が操作された場合に前記少なくとも１つの姿勢とは別の姿勢に対応した前記記憶手段に記憶されている撮影関連情報に切り替えて前記表示手段に表示することを特徴とする請求項１記載の撮像装置。
【請求項５】
前記撮像装置の姿勢別の撮影関連情報を変更するための設定手段を備え、
前記制御手段は、前記表示手段に表示されている前記撮像装置の姿勢に対応した撮影関連情報が前記設定手段により変更された場合、該撮影関連情報が変更された姿勢とは別の姿勢に対応した撮影関連情報も前記変更に連動して変更することを特徴とする請求項１記載の撮像装置。
【請求項６】
前記撮像装置の姿勢とは、前記撮像装置の通常使用時の姿勢である横位置、前記横位置から時計回りに９０度回転させた姿勢である縦位置、前記横位置から反時計回りに９０度回転させた姿勢である縦位置を含むことを特徴とする請求項１乃至５のいずれか１項に記載の撮像装置。
【請求項７】
前記撮像装置の姿勢別に異なる撮影関連情報とは、焦点検出に用いるＡＦ（Ａｕｔｏ  Ｆｏｃｕｓ）フレーム情報であることを特徴とする請求項１記載のカメラの表示装置。
【請求項８】
前記撮像装置の姿勢別に異なる撮影関連情報とは、被写体の明るさの測定に用いる測光エリア情報であることを特徴とする請求項１記載の撮像装置。
【請求項９】
情報を表示する表示手段と、撮像装置の姿勢別に異なる撮影関連情報を記憶する記憶手段とを有する撮像装置の制御方法であって、
前記撮像装置を構えたときの前記撮像装置の姿勢を検知する検知工程と、
前記検知工程により検知した前記撮像装置の姿勢に対応した前記記憶手段に記憶されている撮影関連情報と、前記検知工程により検知した前記撮像装置の姿勢とは別の姿勢に対応した前記記憶手段に記憶されている撮影関連情報を前記表示手段に同時に表示する制御工程と、
を有することを特徴とする制御方法。
【発明の詳細な説明】
【技術分野】
【０００１】
本発明は、撮像装置の姿勢別に情報を設定可能な撮像装置及び制御方法に関する。
【背景技術】
【０００２】
従来、複数のＡＦ（Ａｕｔｏ  Ｆｏｃｕｓ）フレームの中から焦点検出に使用するＡＦフレームをカメラの姿勢毎に設定することができるカメラがある。従来のこの種のカメラでは、どのＡＦフレームが設定されているかを示す情報を一覧表示することができなかった。そのため、カメラの姿勢ごとに設定されたＡＦフレーム情報を確認する際は、カメラの姿勢（カメラを構えた状態でペンタ部が上に位置する横位置、ペンタ部が右側或いは左側に位置する縦位置）を変えることで、それぞれのＡＦフレーム情報を表示していた。
【０００３】
上記カメラの表示制御に関連する技術としては、カメラの姿勢により表示形態を変更するカメラの表示装置が提案されている（例えば、特許文献１参照）。
【０００４】
また、カメラの姿勢別に異なる情報を一覧表示する技術が提案されている（例えば、特許文献２参照）。
【先行技術文献】
【特許文献】
【０００５】
【特許文献１】特開２００１−３０５６３６号公報
【特許文献２】特開平０９−０４３５００号公報
【発明の概要】
【発明が解決しようとする課題】
【０００６】
しかしながら、特許文献１に開示された技術では、カメラで表示している情報はカメラの姿勢別に異なるものではなく、カメラの姿勢を変えても表示内容は変化しない。このため、カメラの別の姿勢での情報を表示することや一覧表示の必要はなく、そのような技術は開示されていない。更に、特許文献２に開示された技術では、表示形態はカメラの姿勢を変えても変化しないし、現在のカメラの姿勢に対応する表示がどれであるか明示されないという問題がある。
【０００７】
本発明の目的は、撮像装置の姿勢を変えることなく撮像装置の姿勢別に異なる撮影関連情報を確認可能とした撮像装置及び制御方法を提供することにある。
【課題を解決するための手段】
【０００８】
上記目的を達成するために、本発明は、情報を表示する表示手段を有する撮像装置であって、前記撮像装置を構えたときの前記撮像装置の姿勢を検知する検知手段と、前記撮像装置の姿勢別に異なる撮影関連情報を記憶する記憶手段と、前記検知手段により検知した前記撮像装置の姿勢に対応した前記記憶手段に記憶されている撮影関連情報と、前記検知手段により検知した前記撮像装置の姿勢とは別の姿勢に対応した前記記憶手段に記憶されている撮影関連情報を前記表示手段に同時に表示する制御手段と、を備えることを特徴とする。
【発明の効果】
【０００９】
本発明によれば、検知した撮像装置の姿勢に対応した撮影関連情報と、検知した撮像装置の姿勢とは別の姿勢に対応した撮影関連情報を同時に表示するので、撮像装置の姿勢を変えることなく撮像装置の姿勢別に異なる撮影関連情報を確認することが可能となる。
【図面の簡単な説明】
【００１０】
【図１】本発明の第１の実施の形態に係る撮像装置としてのカメラの構成を示すブロック図である。
【図２】（ａ）は、カメラの背面側の構成を示す図、（ｂ）は、カメラのＡＦフレームを示す図である。
【図３】カメラの電源投入後の処理を示すフローチャートである。
【図４】図３のＡＦフレーム処理（ステップＳ３０８）の詳細を示すフローチャートである。
【図５ａ】（ａ）は、カメラの一覧表示モードにおける横位置でのＡＦフレームの設定状態を示す図、（ｂ）は、縦グリップ下でのＡＦフレームの設定状態を示す図、（ｃ）は、縦グリップ上でのＡＦフレームの設定状態を示す図である。
【図５ｂ】（ｄ）は、カメラを横位置に構えた場合の様子を示す図、（ｅ）は、カメラを縦グリップ下に構えた場合の様子を示す図、（ｆ）は、カメラを縦グリップ上に構えた場合の様子を示す図である。
【図６】（ａ）は、変更前のＡＦフレーム表示を示す図、（ｂ）は、変更後のＡＦフレーム表示を示す図、（ｃ）は、変更後のＡＦフレーム表示を示す図である。
【図７】（ａ）、（ｂ）、（ｃ）は、カメラの姿勢が横位置の場合の個別表示モードにおけるＡＦフレームの設定状態を示す図である。
【図８】（ａ）、（ｂ）は、横位置でのＡＦフレームの表示を示す図、（ｃ）、（ｄ）は、縦グリップ下でのＡＦフレームの表示を示す図、（ｅ）、（ｆ）は、縦グリップ上でのＡＦフレームの表示を示す図である。
【図９】本発明の第２の実施の形態に係る撮像装置としてのカメラにおける測光エリアの表示例を示す図である。（ａ）は、カメラの姿勢が横位置での表示を示す図、（ｂ）は、縦グリップ下での表示を示す図、（ｃ）は、縦グリップ上での表示を示す図、（ｄ）は、測光中心エリアＢｅ２、Ｄｅ５、Ｂｅ６を示す図である。
【発明を実施するための形態】
【００１１】
以下、本発明の実施の形態を図面に基づいて説明する。
【００１２】
〔第１の実施の形態〕
図１は、本発明の第１の実施の形態に係る撮像装置としてのカメラの構成を示すブロック図である。
【００１３】
図１において、本実施の形態のカメラは、カメラ本体２１とレンズ鏡筒２２から構成されている。レンズ鏡筒２２は、カメラ本体２１に着脱可能に構成され、フォーカシングレンズを有する撮影レンズ１を収納している。カメラ本体２１は、シャッタ２、撮像素子３、背面表示部１０、メモリ３７、スイッチ群３８、システム制御回路３９、姿勢検知回路４０等を備えている。
【００１４】
シャッタ２は、撮影光路内に進退可能な遮光羽根を有する。撮像素子３は、例えばＣＭＯＳイメージセンサとして構成されており、撮影レンズ１からシャッタ２を介して入射した被写体の光束を受光し、光電変換により電気信号に変換する。プロセス回路４は、撮像素子３から出力された信号に対して公知の信号処理を行い、信号をデジタル化する。
【００１５】
バッファメモリ１３は、例えばＤＲＡＭとして構成されており、プロセス回路４によりデジタル化された画像信号（画像データ）を一時的に記憶する。画像処理部７は、バッファメモリ１３から読み出された画像データに対して所定の画像処理と色処理を施す。画像処理部７で処理された画像データは、再度バッファメモリ１３に蓄えられる。表示処理部１４は、バッファメモリ１３に蓄えられた画像データやシステム制御回路３９から出力される表示データを、背面表示部１０に表示させるための処理を行う。
【００１６】
背面表示部１０は、表示処理部１４で処理された画像データや表示データを表示する。本実施の形態では、使用者がカメラを構えたときのカメラの姿勢を示すカメラ外観の向き（カメラのペンタ部を含む筐体の形状）を背面表示部１０に表示する表示モードとして、一覧表示モードと個別表示モードがある。一覧表示モードとは、図５ａ、図５ｂに示すようにカメラの複数の姿勢（横位置、縦グリップ下、縦グリップ上）を一覧表示する表示モードである。個別表示モードとは、図７に示すようにカメラの各々の姿勢（横位置、縦グリップ下、縦グリップ上）を個別に表示する表示モードである。
【００１７】
圧縮／伸張処理部６は、画像処理部７により画像処理が行われた後に再度バッファメモリ１３に蓄えられた画像データを圧縮したり、後述するように圧縮された画像データを伸張したりする。記録再生処理部１５は、圧縮／伸張処理部６により圧縮処理された画像信号を記録媒体１６に画像データとして記録し再生する。
【００１８】
記録媒体１６は、例えばメモリカードとして構成されており、カメラ本体２１にコネクタ（不図示）を介して電気的に接続される。記録媒体１６に記録された画像データを表示（再生）する場合は、記録再生処理部１５により画像データの再生処理を行い、圧縮／伸張処理部６により伸張処理を行ってからバッファメモリ１３に一時的に記憶する。そして、撮影時と同様にバッファメモリ１３に記憶された画像データを表示処理部１４により処理して、背面表示部１０により画像を表示（再生）する。
【００１９】
システム制御回路３９は、カメラに対する設定や指示を行うためのスイッチ群３８からの入力を受けることによって入力に応じた動作を行い、メモリ３７に記憶された撮影動作用定数や変数等を表示処理部１４へ送り背面表示部１０に表示させる。また、システム制御回路３９は、焦点検出回路３０や測光回路３１等からの入力に応じてカメラ動作の制御を行う。また、システム制御回路３９は、プログラムに基づき図３及び図４のフローチャートに示す処理を実行する。
【００２０】
シャッタ駆動回路２８は、システム制御回路３９からの指示を受けてシャッタ２を駆動する。このシャッタ２の駆動によって遮光羽根が撮影光路内に進退して露出を制御することになる。焦点検出回路３０は、複数のＡＦ（Ａｕｔｏ  Ｆｏｃｕｓ）フレーム（図２（ｂ）参照）に対応した位置での焦点検出を行う。焦点検出回路３０は、焦点検出を行うＡＦフレームに対応した位置等の指示をシステム制御回路３９から受けて撮影光学系の焦点調節状態を検出し、この検出結果をシステム制御回路３９に送る。
【００２１】
レンズ駆動回路２９は、撮影レンズ１内のフォーカシングレンズを駆動する。システム制御回路３９は、焦点検出回路３０で検出した撮影光学系の焦点調節状態に応じてレンズ駆動回路２９に指示を出し、フォーカシングレンズの駆動制御を行う。このフォーカシングレンズの駆動により焦点調節が行われる。測光回路３１は、複数に分割された受光部を有する測光センサから構成されており、被写体の明るさを測定する。システム制御回路３９は、測光回路３１の測光結果に基づいて露出値を決定する。ストロボ３２は、システム制御回路３９からの指示を受けて被写体に照明光を照射する。
【００２２】
姿勢検知回路４０は、使用者がカメラを構えたときのカメラの姿勢を検知する。即ち、姿勢検知回路４０は、システム制御回路３９からの指示を受けて、カメラの姿勢が、横位置であるか、横位置から時計回りに回転した縦位置（縦グリップ下）であるか、横位置から反時計回りに回転した縦位置（縦グリップ上）であるかを検出する。横位置、縦グリップ下、縦グリップ上の定義については図２に基づき後述する。
【００２３】
電源制御回路３４は、電源部（不図示）の状態の検出及び制御を行う。電源部は、電池、ＤＣ−ＤＣコンバータ、通電するブロックを切り替えるスイッチ（以上不図示）等により構成されている。メモリ３７は、焦点検出回路３０による焦点検出に用いるＡＦフレーム情報、測光回路３１による被写体の明るさの測定に用いる測光エリア情報、姿勢検知回路４０により検知されたカメラの姿勢を示す姿勢情報などの撮影関連情報を記憶する。撮影関連情報は、カメラの姿勢別にカメラの姿勢に対応づけて記憶される。スイッチ群３８（操作部材）は、システム制御回路３９に対して使用者が各種の動作指示を行う際に用いるものであり、詳細は図２（ａ）により後述する。
【００２４】
図２（ａ）は、カメラの背面側の構成を示す図である。
【００２５】
図２（ａ）において、カメラ本体２１の背面側には、被写体を光学的に覗くためのファインダ１１１、内部にペンタプリズムを格納したペンタ部５５、背面表示部１０が設けられている。カメラ本体２１の背面側とは反対の前面側（不図示）にはカメラをホールドするためのグリップ１８（破線で示す部分）が設けられている。
【００２６】
本実施の形態では、カメラの姿勢を以下のように定義している。カメラを横長に構えた通常使用時の姿勢（本実施の形態ではペンタ部５５が鉛直方向で上になり背面表示部１０が横長になる姿勢：図５ｂ（ｄ）参照）を、「横位置」と表記する。また、横位置から時計回りに９０度回転させた縦位置の姿勢（本実施の形態ではペンタ部５５が右側になり背面表示部１０が縦長になる姿勢：図５ｂ（ｅ）参照）を、「縦グリップ下」と表記する。また、横位置から反時計回りに９０度回転させた縦位置の姿勢（本実施の形態ではペンタ部５５が左側になり背面表示部１０が縦長になる姿勢：図５ｂ（ｆ）参照）を、「縦グリップ上」と表記する。
【００２７】
更に、カメラ本体２１の背面側には、操作部材が設けられている。操作部材には、レリーズ釦２４、電子ダイアル１１、撮影モードダイアル２６、ＭＥＮＵ釦２５、ＤＩＳＰ釦１７、再生釦９、消去釦２７、十字キー８、ＳＥＴ釦１２、メインスイッチ（ＳＷ）５１、ＡＦフレーム選択釦９８、その他の釦９９がある。これらの操作部材は、図１のスイッチ群３８に含まれる。十字キー８は、上キー８ａ、下キー８ｂ、左キー８ｃ、右キー８ｄから構成されており、背面表示部１０に表示されたカメラ姿勢（横位置、縦グリップ下、縦グリップ上）における後述のＡＦフレーム移動を行う場合などに操作する。
【００２８】
電子ダイアル１１は、背面表示部１０における図７（ａ）のＨ０、図７（ｂ）のＶ１、図７（ｃ）のＶ２の表示を切り替える場合などに回転操作する。電子ダイアル１１による表示切り替えの詳細は図７に基づき後述する。ＤＩＳＰ（ディスプレイ）釦１７は、背面表示部１０の表示モードを変更する際に操作する。背面表示部１０が一覧表示モードにある場合にＤＩＳＰ釦１７をＯＮ操作すると個別表示モードに変更され、背面表示部１０が個別表示モードにある場合にＤＩＳＰ釦１７をＯＮ操作すると一覧表示モードに変更される。メインＳＷ５１は、その操作に応じてカメラのＯＮ／ＯＦＦ状態が切り替わり、ＯＮ状態でカメラを起動させる。
【００２９】
レリーズ釦２４は、２段階の押圧操作が可能であり、半押し操作でＯＮになるスイッチＳＷ１と、全押し操作でＯＮになるスイッチＳＷ２から構成されている。スイッチＳＷ１がＯＮされると、システム制御回路３９は、焦点検出回路３０による焦点検出動作と測光回路３１による測光動作とを開始させる指示を行う。更に、スイッチＳＷ２がＯＮされると、撮影動作（撮像素子３への露光）が開始される。システム制御回路３９は、シャッタ駆動回路２８によりシャッタ２を駆動して露光動作を行い、撮像素子３から画像データを読み出し、所定の処理を施して記録媒体１６に書き込む。
【００３０】
ＭＥＮＵ（メニュー）釦２５を押すと、背面表示部１０に設定項目のメニューが表示される。使用者は背面表示部１０に表示されたメニューを見ながら十字キー８を操作してカメラの設定を行うことができる。再生釦９をＯＮにすると、背面表示部１０に撮影した画像が表示される。この状態で、十字キー８の左キー８ｃ／右キー８ｄを押下すると、背面表示部１０に別の画像を表示することができる。背面表示部１０に画像が表示されている状態で消去釦２７を押すと、表示された画像を消去することが可能である。ＡＦフレーム選択釦９８を押すと、ＡＦフレーム処理を実行する（後述図３のカメラの電源投入後の処理のサブルーチン）。さらに、ＡＦフレーム処理をリターンする際にもＡＦフレーム選択釦９８をＯＮする。
【００３１】
図２（ｂ）は、カメラのＡＦフレームを示す図である。
【００３２】
図２（ｂ）において、本実施の形態のＡＦフレームは、例えば２１個のＡＦフレーム（Ａ１〜Ａ７、Ｂ１〜Ｂ７、Ｃ１〜Ｃ７）から構成されている。２１個のＡＦフレームには、図示のように上の行から順に符号（Ａ、Ｂ、Ｃ）が設定されており、左側の列から順に数字（１〜７）が設定されている。例えば、左上隅のＡＦフレームはＡ１、中央のＡＦフレームはＢ４、右下隅のＡＦフレームはＣ７となる。
【００３３】
次に、上記の構成を備える本実施の形態のカメラの動作について図３乃至図９を参照しながら説明する。
【００３４】
図３は、カメラの電源投入後の処理を示すフローチャートである。
【００３５】
図３において、カメラのシステム制御回路３９は、使用者によるメインＳＷ５１のＯＮ操作に伴うカメラの電源の投入を検知すると（ステップＳ３０１）、撮影のための初期値の設定を行うと共に、カメラの設定状態の表示を行う（ステップＳ３０２）。カメラの前回電源投入時に設定されていた値または予め決められた値がメモリ３７に保存されており、初期値はその値に設定される。カメラの設定状態は、背面表示部１０に表示される。
【００３６】
まず、システム制御回路３９は、使用者によりＭＥＮＵ釦２５がＯＮ操作されたか否かを判定する（ステップＳ３０３）。ＭＥＮＵ釦２５がＯＮ操作された場合は、システム制御回路３９は、メニュー処理を行う（ステップＳ３０４）。メニュー処理では、カメラの様々な設定項目（メニュー）を背面表示部１０に一覧表示し、使用者により選択された設定項目に応じた設定を行う。ＭＥＮＵ釦２５がＯＮ操作されていない場合は、システム制御回路３９は、使用者により再生釦９がＯＮ操作されたか否かを判定する（ステップＳ３０５）。
【００３７】
再生釦９がＯＮ操作された場合は、システム制御回路３９は、再生処理を行う（ステップＳ３０６）。再生処理では、カメラで既に撮影された画像ファイル（画像データ）を記録媒体１６から読み出して所定の処理を行い、背面表示部１０に画像を表示する。再生釦９がＯＮ操作されていない場合は、システム制御回路３９は、使用者によりＡＦフレーム選択釦９８がＯＮ操作されたか否かを判定する（ステップＳ３０７）。ＡＦフレーム選択釦９８がＯＮ操作された場合は、システム制御回路３９は、ＡＦフレーム処理を行う（ステップＳ３０８）。ＡＦフレーム処理の詳細は図４に基づき後述する。
【００３８】
ＡＦフレーム選択釦９８がＯＮ操作されていない場合は、システム制御回路３９は、使用者によりレリーズ釦２４がＯＮ操作されたか否かを判定する（ステップＳ３０９）。レリーズ釦２４がＯＮ操作された場合は、システム制御回路３９は、撮影処理を行う（ステップＳ３１０）。撮影処理では、撮像素子３に対する信号電荷の蓄積を開始し、シャッタ駆動回路２８によりシャッタ２を駆動し露光を行う。撮像素子３で光電変換された電気信号に対しプロセス回路４により所定の信号処理を行い、システム制御回路３９により画像ファイルとして記録媒体１６に記録する。
【００３９】
ステップＳ３０４、Ｓ３０６、Ｓ３０８、Ｓ３１０の何れかの処理が終了した場合、或いはレリーズ釦２４がＯＮ操作されていない場合は、システム制御回路３９は、使用者によりメインＳＷ５１がＯＦＦ操作されたか否かを判定する（ステップＳ３１１）。メインＳＷ５１がＯＦＦ操作された場合は、システム制御回路３９は、電源制御回路３４により電源をＯＦＦする（ステップＳ３１２）。メインＳＷ５１がＯＦＦ操作されていない場合は、システム制御回路３９は、ステップＳ３０３に戻り上記の処理を繰り返す。
【００４０】
図４は、図３のＡＦフレーム処理（ステップＳ３０８）の詳細を示すフローチャートである。
【００４１】
図４において、まず、サブルーチン「ＡＦフレーム処理」がコールされると、システム制御回路３９は、本処理を開始する（ステップＳ４０１）。システム制御回路３９は、姿勢検知回路４０によりカメラの現在の姿勢を検知し、検知した結果をメモリ３７にカメラの現在姿勢として記憶すると共に背面表示部１０に最初に表示する姿勢として記憶する（ステップＳ４０２）。
【００４２】
次に、システム制御回路３９は、カメラの表示モードが一覧表示モードであるか個別表示モードであるかを判定する（ステップＳ４０３）。カメラの表示モードが一覧表示モードである場合は、システム制御回路３９は、背面表示部１０にＡＦフレームの一覧表示を行う（ステップＳ４１０）。カメラの表示モードが個別表示モードである場合は、ステップＳ４２０に進む。ここで、ステップＳ４１０で行う背面表示部１０の一覧表示について図５ａ及び図５ｂに基づき説明する。
【００４３】
図５ａの（ａ）は、カメラの一覧表示モードにおける横位置でのＡＦフレームの設定状態を示す図である。図５ａの（ｂ）は、カメラの現在の姿勢が縦グリップ下でのＡＦフレームの設定状態を示す図である。図５ａの（ｃ）は、カメラの現在の姿勢が縦グリップ上でのＡＦフレームの設定状態を示す図である。（図５ａの（ａ）、（ｂ）、（ｃ）は、カメラの現在の姿勢に関わらず、背面表示部１０が横長になるように図示している）
また、図５ｂの（ｄ）は、カメラを横位置に構えた場合の様子を示す図である。図５ｂの（ｅ）は、カメラを縦グリップ下に構えた場合の様子を示す図である。図５ｂの（ｆ）は、カメラを縦グリップ上に構えた場合の様子を示す図である（図５ｂの（ｄ）、（ｅ）、（ｆ）は、使用者が観察している状態を、それぞれ外形の表示とともにカメラの現在の姿勢にあわせて図示している）。
【００４４】
図５ａ、図５ｂにおいて、使用者がカメラを構えた状態での各々のカメラ姿勢（横位置、縦グリップ下、縦グリップ上）において鉛直方向で上になるＡＦフレーム（図５ａの（ａ）では黒く塗りつぶした部分）が設定されている場合の例で説明する。具体的には、設定されているＡＦフレームが、カメラを構えた状態でのカメラ姿勢が横位置のときＡ４、縦グリップ下のときＢ１、縦グリップ上のときＢ７である場合の例で説明する（図２（ｂ）参照）。
【００４５】
まず、背面表示部１０における図５ａの（ａ）横位置での表示例を説明する。
・画面左側：同図  ５ａａ１は、縦グリップ上の表示である。縦グリップ上のＡＦフレームＢ７は、７行×３列のＡＦフレーム表示で、１行目、２列目になる（図２（ｂ）参照）。
・画面中央：同図  ５ａａ２は、横位置の表示である。横位置のＡＦフレームＡ４は、３行×７列のＡＦフレーム表示で、１行目４列目になる（図２（ｂ）参照）。
・画面右側：同図  ５ａａ３は、縦グリップ下の表示である。縦グリップ下のＡＦフレームＢ１は、７行×３列のＡＦフレーム表示で、１行目、２列目になる（図２（ｂ）参照）。
【００４６】
図５ｂの（ｄ）にカメラ姿勢に合わせた表示例を示す。
【００４７】
図５ｂの（ｄ）は、カメラを横位置に構えたときの様子を示したものである。カメラの背面表示部１０の画面左側から画面右側に向かってそれぞれ、縦グリップ上（５ａａ１）、横位置（５ａａ２）、縦グリップ下（５ａａ３）の順にＡＦフレームの設定状態が表示される。カメラの現在の姿勢である横位置を画面の中央に、大きく、かつ目立つように強調して表示（カメラのボディ部分を斜線で表示）している（５ａａ２）。即ち、横位置を縦グリップ上と縦グリップ下よりも強調して表示する。
【００４８】
次に、背面表示部１０における図５ａの（ｂ）縦グリップ下での表示例を説明する。
・画面左側：同図  ５ａｂ１は、横位置の表示である。横位置のＡＦフレームＡ４は、７行×３列のＡＦフレーム表示で、４行目１列目になる（図２（ｂ）参照）。
・画面中央：  同図  ５ａｂ２は、縦グリップ下の表示である。縦グリップ下のＡＦフレームＢ１は、３行×７列のＡＦフレーム表示で、２行目、１列目になる（図２（ｂ）参照）。
・画面右側：  同図  ５ａｂ３は、縦グリップ上の表示である。縦グリップ上のＡＦフレームＢ７は、３行×７列のＡＦフレーム表示で、２行目、１列目になる（図２（ｂ）参照）。
【００４９】
図５ｂの（ｅ）にカメラ姿勢に合わせた表示例を示す。
【００５０】
図５ｂの（ｅ）は、カメラを縦グリップ下に構えたときの様子を示したものである。カメラの背面表示部１０の画面上側から画面下側に向かってそれぞれ、横位置（５ａｂ１）、縦グリップ下（５ａｂ２）、縦グリップ上（５ａｂ３）の順にＡＦフレームの設定状態が表示される。カメラの現在の姿勢である縦グリップ下を画面の中央に、大きく、かつ目立つように強調して表示（カメラのボディ部分を斜線で表示）している（５ａｂ２）。即ち、縦グリップ下を横位置と縦グリップ上よりも強調して表示する。図５ｂの（ｅ）に示すように、姿勢検知回路４０により検知したカメラ置の姿勢（縦グリップ下）に応じて、メモリ３７に記憶されている姿勢情報の表示形態を図５ｂの（ａ）に対して変更する。
【００５１】
次に、背面表示部１０における図５ａの（ｃ）縦グリップ上での表示例を説明する。
・画面左側：同図  ５ａｃ１は、縦グリップ下の表示である。縦グリップ下のＡＦフレームＢ１は、３行×７列のＡＦフレーム表示で、２行目７列目になる（図２（ｂ）参照）。
・画面中央：同図  ５ａｃ２は、縦グリップ上の表示である。縦グリップ上のＡＦフレームＢ７は、３行×７列のＡＦフレーム表示で、２行目、７列目になる（図２（ｂ）参照）。
・画面右側：同図  ５ａｃ３表示は、横位置の表示である。横位置のＡＦフレームＡ４は、７行×３列のＡＦフレーム表示で、４行目、３列目になる（図２（ｂ）参照）。
【００５２】
図５ｂの（ｆ）にカメラ姿勢に合わせた表示例を示す。
【００５３】
図５ｂの（ｆ）は、カメラを縦グリップ上に構えたときの様子を示したものである。カメラの背面表示部１０の画面上側から画面下側に向かってそれぞれ、横位置（５ａｃ３）、縦グリップ上（５ａｃ２）、縦グリップ下（５ａｃ１）の順にＡＦフレームの設定状態が表示される。カメラの現在の姿勢である縦グリップ上を画面の中央に、大きく、かつ目立つように強調して表示（カメラのボディ部分を斜線で表示）している（５ａｃ２）。即ち、縦グリップ上を横位置と縦グリップ下よりも強調して表示する。
【００５４】
図４に戻り、上記ステップＳ４１０で行う背面表示部１０に対する一覧表示は以上説明したようになる。カメラの現在の姿勢に応じて使用者は背面表示部１０の表示を観察することになる。例えばカメラの現在の姿勢が縦グリップ下であれば図５ａの（ｂ）のＡＦフレーム表示になる。使用者は図５ｂの（ｅ）のような状態で背面表示部１０の表示を観察することになる。
【００５５】
次に、システム制御回路３９は、姿勢検知回路４０によりカメラの姿勢検知を行い（ステップＳ４１１）、背面表示部１０にＡＦフレームを表示している間にカメラの姿勢が変化しているか否かを判定する（ステップＳ４１２）。カメラの姿勢が変化している場合は、システム制御回路３９は、メモリ３７に記憶しているカメラの現在の姿勢を示す現姿勢情報を変更し（ステップＳ４１３）、再度ステップＳ４１０に戻り、背面表示部１０に一覧表示を行う。
【００５６】
ＡＦフレーム表示中にカメラの姿勢が変化した場合でも、カメラの姿勢に応じた表示を行うことができる。例えばカメラの姿勢が横位置から縦グリップ上に変化した場合、姿勢検知回路４０により検知したカメラ置の姿勢（縦グリップ上）に応じて、メモリ３７に記憶されている姿勢情報の表示形態を図５ａ（ａ）から同図（ｃ）に変更する。使用者は図５ｂの（ｄ）の状態から（ｆ）のような状態で背面表示部１０の表示を観察することになる。
【００５７】
他方、ステップＳ４１２でカメラの姿勢が変化していない場合は、システム制御回路３９は、十字キー８（上キー８ａ、下キー８ｂ、左キー８ｃ、右キー８ｄの何れか）（設定手段）がＯＮ操作されたか否かを判定する（ステップＳ４１４）。十字キー８がＯＮ操作された場合は、システム制御回路３９は、背面表示部１０がＡＦフレームの一覧表示モードでは、カメラの全ての姿勢でのＡＦフレームを連動して変更する「連動ＡＦフレーム変更」を行う（ステップＳ４１５）。ここで、連動ＡＦフレームの変更について図６に基づき説明する。
【００５８】
図６（ａ）は、変更前のＡＦフレーム表示を示す図、図６（ｂ）は、変更後のＡＦフレーム表示を示す図、図６（ｃ）は、同図（ｂ）とは別の変更を行った後のＡＦフレーム表示を示す図である。
【００５９】
図６において、カメラの横位置状態で連動ＡＦフレームの変更を行う例を説明する。図５ａ及び図５ｂで説明した場合と同様に、変更前のＡＦフレームはカメラを構えた状態が横位置のときＡ４、縦グリップ下のときＢ１、縦グリップ上のときＢ７であるとする。
【００６０】
図６（ａ）に示す最初のＡＦフレーム（横：Ａ４、縦グリップ下：Ｂ１、縦グリップ上：Ｂ７）から、十字キー８の右キー８ｄを押すと、横位置でのＡＦフレームＡ４（同図（ａ）６ａ２）は、次のように変更される。即ち、図６（ｂ）の６ｂ２に示すようにＡ５に変更される（Ａ４→Ａ５）（図２（ｂ）参照）。これに連動して縦グリップ下では、ＡＦフレームはＢ１→Ａ１に変更され（図６（ｂ）６ｂ３）、縦グリップ上では、ＡＦフレームはＢ７→Ｃ７に変更される（図６（ｂ）６ｂ１）。即ち、図６（ｂ）の縦グリップ上（６ｂ１）、横位置（６ｂ２）、縦グリップ下（６ｂ３）の各々のカメラ外観の向き表示において、ＡＦフレームがそれぞれ右に１つ移動する。
【００６１】
図６（ａ）に示す最初のＡＦフレーム（横：Ａ４、縦グリップ下：Ｂ１、縦グリップ上：Ｂ７）から、十字キー８の下キー８ｂを押すと、横位置でのＡＦフレームＡ４（同図（ａ）６ａ２）は、図６（ｃ）の６ｃ２に示すようにＢ４に変更される（Ａ４→Ｂ４）。これに連動して縦グリップ下では、ＡＦフレームはＢ１→Ｂ２に変更され（図６（ｃ）の６ｃ３）、縦グリップ上では、ＡＦフレームはＢ７→Ｂ６に変更される（図６（ｃ）の６ｃ１）。即ち、図６（ｃ）の縦グリップ上（６ｃ１）、横位置（６ｃ２）、縦グリップ下（６ｃ３）の各々のカメラ外観の向き表示において、ＡＦフレームがそれぞれ下に１つ移動する。
【００６２】
図６に示したように、十字キー８（上キー８ａ、下キー８ｂ、左キー８ｃ、右キー８ｄの何れか）のＯＮ操作に伴いカメラのそれぞれの姿勢（横位置、縦グリップ下、縦グリップ上）のＡＦフレームが連動して変更される。
【００６３】
図４に戻り、システム制御回路３９は、ステップＳ４１５でＡＦフレームを変更したらステップＳ４１０に戻り、背面表示部１０に変更されたＡＦフレームを一覧表示する。ステップＳ４１４において十字キー８がＯＮ操作されていない場合は、ステップＳ４３０に進む。
【００６４】
他方、上述した通り、ステップＳ４０３でカメラの表示モードが個別表示モードである場合は、システム制御回路３９は、背面表示部１０にＡＦフレームの個別表示を行う（ステップＳ４２０）。カメラの姿勢が横位置の場合のＡＦフレームは、図７のＨ０のようになる。システム制御回路３９は、使用者の操作により電子ダイアル１１（操作部材）が変化したか否かを判定する（ステップＳ４２２）。電子ダイアル１１が変化した場合は、システム制御回路３９は、背面表示部１０に表示するカメラの表示姿勢情報を変更し（ステップＳ４２３）、再度ステップＳ４２０に戻り、背面表示部１０に個別表示を行う。電子ダイアル１１が変化していない場合は、ステップＳ４２４に進む。ここで、ステップＳ４２０で行う背面表示部１０の個別表示について図７に基づき説明する。
【００６５】
図７（ａ）、図７（ｂ）、図７（ｃ）は、カメラの姿勢が横位置の場合の個別表示モードにおけるＡＦフレームの設定状態を示す図である。
【００６６】
図７において、設定されているＡＦフレームが、カメラを構えた状態が横位置のときＡ４、縦グリップ下のときＢ１、縦グリップ上のときＢ７である場合の例で説明する。（図５ａ及び図５ｂと同様のＡＦフレームで説明する。）
図７（ａ）のＨ０は、カメラの姿勢が横位置のＡＦフレームの位置を表示している。ペンタ部を上にしたカメラ外観の向きが背面表示部１０に表示され、横位置のＡＦフレームＡ４は、３行×７列の表示で、１行目４列目になる（図２（ｂ）参照）。
【００６７】
図７（ｂ）のＶ１は、カメラの姿勢が横位置の状態で観察する、縦グリップ下のＡＦフレーム表示である。ペンタ部を右側にした縦位置のカメラ外観の向きが背面表示部１０に表示され、縦グリップ下のＡＦフレームＢ１（図２（ｂ）参照）は、７行×３列の表示で、１行目、２列目になる。
【００６８】
図７（ｃ）のＶ２は、カメラの姿勢が横位置の状態で観察する、縦グリップ上のＡＦフレーム表示である。ペンタ部を左側にした縦位置のカメラ外観の向きが背面表示部１０に表示され、縦グリップ下のＡＦフレームＢ７（図２（ｂ）参照）は、７行×３列の表示で、１行目、２列目になる。
【００６９】
背面表示部１０における図７（ａ）のＨ０、図７（ｂ）のＶ１、図７（ｃ）のＶ２の表示切り替えは、電子ダイアル１１を回転することで行う。電子ダイアル１１を時計回りに１クリック回転するごとに、Ｈ０→Ｖ１→Ｖ２→・・・と表示が切り替わる。また、電子ダイアル１１を反時計回りに１クリック回転するごとに、Ｈ０→Ｖ２→Ｖ１→・・・と表示が切り替わる。即ち、電子ダイアル１１が操作されるごとに、背面表示部１０に表示中の姿勢とは別の姿勢に対応したメモリ３７に記憶されている情報に切り替えて表示する。
【００７０】
尚、カメラの姿勢が上述した横位置以外の別の姿勢の場合も、その姿勢で正しい表示になるようにカメラの外観の向き表示及びＡＦフレームの位置表示を行う。
【００７１】
図４に戻り、ステップＳ４２２で電子ダイアル１１が変化していない場合は、ステップＳ４２４に進む。システム制御回路３９は、十字キー８（上キー８ａ、下キー８ｂ、左キー８ｃ、右キー８ｄの何れか）がＯＮ操作されたか否かを判定する（ステップＳ４２４）。十字キー８がＯＮ操作された場合は、システム制御回路３９は、「個別ＡＦフレーム変更」を行う（ステップＳ４２５）。ここで、個別ＡＦフレームの変更について図８に基づき説明する。
【００７２】
図８（ａ）、図８（ｂ）は、横位置でのＡＦフレームの表示を示す図、図８（ｃ）、図８（ｄ）は、縦グリップ下でのＡＦフレームの表示を示す図、図８（ｅ）、図８（ｆ）は、縦グリップ上でのＡＦフレームの表示を示す図である。
【００７３】
図８において、使用者が撮影対象を観察している状態でのカメラの姿勢は全て横位置の場合である。図８（ａ）は、横位置のＡＦフレームがＡ４であることを表示している。図８（ａ）の状態で例えば十字キー８の右キー８ｄをＯＮ操作すると、図８（ｂ）に示すようにＡＦフレームは１つ右のＡ５に変更される。この場合、縦グリップ下、縦グリップ上のＡＦフレームは変更されない。
【００７４】
図８（ｃ）は、縦グリップ下のＡＦフレームがＢ１であることを表示している。図８（ｃ）の状態で例えば十字キー８の左キー８ｃをＯＮ操作すると、ＡＦフレームは表示上、左に変わる（カメラを横位置にした姿勢で観察している）。実際のＡＦフレームは、図８（ｄ）に示すようにＢ１→Ｃ１に変更される。
【００７５】
図８（ｅ）は、縦グリップ上のＡＦフレームがＢ７であることを表示している。図８（ｅ）の状態で例えば十字キー８の下キー８ｂをＯＮ操作すると、ＡＦフレームは表示上、下に変わる（カメラを横位置にした姿勢で観察している）。実際のＡＦフレームは、図８（ｆ）に示すようにＢ７→Ｂ６に変更される。カメラが縦位置の姿勢であっても、背面表示部１０に表示されているＡＦフレームと操作された十字キー８の位置により、横位置の場合と同様にＡＦフレームが変更される。
【００７６】
図４に戻り、ステップＳ４１４で一覧表示モードで十字キー８がＯＮ操作されていない場合、或いは、ステップＳ４２４で個別表示モードで十字キー８がＯＮ操作されていない場合は、ステップＳ４３０へ進む。システム制御回路３９は、使用者によりＤＩＳＰ釦１７がＯＮ操作されたか否かを判定する（ステップＳ４３０）。
【００７７】
背面表示部１０が一覧表示モード或いは個別表示モードにある場合にＤＩＳＰ釦１７がＯＮ操作された場合は、ステップＳ４３１に進む。即ち、一覧表示モードにある場合にＤＩＳＰ釦１７がＯＮ操作された場合は、システム制御回路３９は、背面表示部１０を個別表示モードに変更する（ステップＳ４３１）。他方、個別表示モードにある場合にＤＩＳＰ釦１７がＯＮ操作された場合は、システム制御回路３９は、背面表示部１０を一覧表示モードに変更する（ステップＳ４３１）。
【００７８】
ステップＳ４３０でＤＩＳＰ釦１７がＯＮ操作されていない場合、或いは、ステップＳ４３１で表示モードを変更した後、システム制御回路３９は、使用者によりＡＦフレーム選択釦９８がＯＮ操作されたか否かを判定する（ステップＳ４４０）。ＡＦフレーム選択釦９８がＯＮ操作されていない場合は、システム制御回路３９は、ステップＳ４０３に戻り上記処理を繰り返し実行する。ＡＦフレーム選択釦９８がＯＮ操作された場合は、システム制御回路３９は、図３のカメラの電源投入後の処理のサブルーチン（ＡＦフレーム処理）をリターンする（ステップＳ４５０）。
【００７９】
本実施の形態においては、メモリ３７に記憶された、姿勢検知回路４０で検知したカメラの姿勢を示す情報と、検知した姿勢とは別のカメラの姿勢を示す情報を、背面表示部１０に同時に表示する。これにより、使用者はカメラの現在の姿勢を示す情報と別の姿勢を示す情報を同時に確認することが可能となる。また、検知したカメラの姿勢を示す情報を強調して表示することで、カメラの現在の姿勢を示す情報を分かりやすくすることが可能となる。
【００８０】
また、十字キー８（上キー８ａ、下キー８ｂ、左キー８ｃ、右キー８ｄの何れか）が操作された場合で、一覧表示モードの場合は連動ＡＦフレーム変更を行う。これにより、十字キー８によりカメラの姿勢別の情報を連動して設定可能とすることで、カメラの複数の姿勢での情報を同時に変更することが可能となる。
【００８１】
また、個別表示モードの場合は、現在のカメラ姿勢と別の姿勢におけるＡＦフレーム情報を表示可能にした。この状態で、十字キー８（上キー８ａ、下キー８ｂ、左キー８ｃ、右キー８ｄの何れか）を操作することにより、現在のカメラ姿勢とは別の姿勢におけるＡＦフレームを変更することが可能になる。
【００８２】
また、カメラの複数の姿勢を一覧に表示する一覧表示モードでＤＩＳＰ釦１７が操作された場合はカメラの各々の姿勢を個別に表示する個別表示モードに変更し、個別表示モードでＤＩＳＰ釦１７が操作された場合は一覧表示モードに変更する。これにより、使用者の目的に応じた表示を行うことが可能となる。
【００８３】
以上詳細に説明したように、本実施の形態によれば以下の効果を奏する。使用者はカメラの姿勢別に異なるＡＦフレーム情報の一覧表示の確認と、カメラの姿勢を変えることなくカメラの姿勢別に異なるＡＦフレーム情報の表示の確認と、カメラの姿勢別に異なるＡＦフレーム情報を連動して設定することが可能となる。
【００８４】
〔第２の実施の形態〕
本発明の第２の実施の形態は、上記第１の実施の形態に対して、図９で説明する点において相違する。本実施の形態のその他の要素は、上記第１の実施の形態（図１、図２）の対応するものと同一なので説明を省略する。
【００８５】
上記第１の実施の形態では、カメラの姿勢ごとに設定されたＡＦフレームを表示する例について説明したが、本実施の形態では、カメラの姿勢ごとに測光エリアを表示する例について説明する。本実施の形態の測光エリアは、横に５分割及び縦に７分割された３５の測光エリア（図９（ｄ）参照）から構成されている。本実施の形態では、測光値を３５の測光エリアから演算して求めるいわゆる評価測光を行っている。評価測光は、どの測光エリアを中心にするかによって演算値が異なるため、カメラの姿勢ごとにそれぞれの測光中心エリアを設定できる。カメラの姿勢ごとの表示を示したものが図９である。
【００８６】
図９は、本実施の形態に係る撮像装置としてのカメラにおける測光エリアの表示例を示す図である。図９（ａ）は、カメラの姿勢が横位置での表示を示す図、図９（ｂ）は、縦グリップ下での表示を示す図、図９（ｃ）は、縦グリップ上での表示を示す図、図９（ｄ）は、測光中心エリアＢｅ５、Ｂｅ２、Ｄｅ６を示す図である。
【００８７】
図９において、図９（ｄ）に示すように、横に５分割及び縦に７分割された３５の測光エリアの位置を上の行から下の行に向かってＡｅ、Ｂｅ、Ｃｅ、Ｄｅ、Ｅｅ、左の列から右の列に向かって１、２、３、４、５、６、７とする。本実施の形態では、カメラの姿勢が横位置の測光中心エリアをＢｅ５、縦グリップ上の測光中心エリアをＤｅ６、縦グリップ下の測光中心エリアをＢｅ２とした場合について説明する。
【００８８】
カメラの姿勢が図９（ａ）横位置での表示例。
・画面左側：９ａ１は、縦グリップ上の表示である。縦グリップ上の測光中心エリアＤｅ６は、７行×５列表示で、２行目、４列目になる。
・画面中央：９ａ２は、横位置の表示である。横位置の測光中心エリアＢｅ５は、５行×７列表示で、２行目５列目になる。
・画面右側：９ａ３は、縦グリップ下の表示である。縦グリップ下の測光中心エリアＢｅ２は、７行×５列表示で、２行目、４列目になる。
【００８９】
カメラを縦位置に構えた場合。
【００９０】
縦グリップ下は、図９（ｂ）に示す表示及び観察状態となる。また、縦グリップ上は、図９（ｃ）に示す表示及び観察状態となる。
【００９１】
以上詳細に説明したように、本実施の形態によれば以下の効果を奏する。使用者はカメラの姿勢別に異なるＡＦフレーム情報の一覧表示の確認と、カメラの姿勢を変えることなくカメラの姿勢別に異なるＡＦフレーム情報の表示の確認と、カメラの姿勢別に異なるＡＦフレーム情報を連動して設定することが可能となる。
【００９２】
〔他の実施の形態〕
第１及び第２の実施の形態では、それぞれ、カメラの姿勢ごとのＡＦフレームの表示例、カメラの姿勢ごとの測光中心エリアの表示例について説明したが、これに限定されるものではない。カメラのストロボの光量制御に用いるＦＥＬ（フラッシュ・エクスクロージャ・ロック）エリアについても同様の表示形態が可能である。
【００９３】
第１及び第２の実施の形態では、本発明の好ましい実施形態について説明したが、本発明は、これらの実施形態に限定されるものではなく、本発明の要旨の範囲内で種々の変形及び変更が可能である。
【符号の説明】
【００９４】
１０  背面表示部
３７  メモリ
３９  システム制御回路
４０  姿勢検知回路
Ａ１〜Ａ７、Ｂ１〜Ｂ７、Ｃ１〜Ｃ７  ＡＦフレーム
【図１】
2011099962.tif 000003
【図２】
2011099962.tif 000004
【図３】
2011099962.tif 000005
【図４】
2011099962.tif 000006
【図５ａ】
2011099962.tif 000007
【図５ｂ】
2011099962.tif 000008
【図６】
2011099962.tif 000009
【図７】
2011099962.tif 000010
【図８】
2011099962.tif 000011
【図９】
2011099962.tif 000012